(57)【特許請求の範囲】
【請求項１】
容器天面の出し入れ口における対向した一対のフラップと一枚又は対向した一対の蓋板とを備えて、折り倒したフラップに蓋板を折り重ねて出し入れ口を開閉可能に覆う容器に、吐出ノズルを有するポンプ部をボトル本体の上部に装着して前記吐出ノズルをボトル本体の側方側に向けたポンプボトルを収納したボトル収納容器であって、
一対のフラップの内の少なくとも一方に、前記容器に所定方向に向けて挿入されたポンプボトルの吐出ノズルに係脱可能に係止して容器内でのポンプボトルの向きを規制する向き規制片を切り込み形成して下方に折り倒して設け、かつ、この向き規制片を設けたフラップに、前記向き規制片とは反対側にしてポンプボトルの上部構造部分に係止して上部構造部分の移動の抑えにより向き規制片からの吐出ノズルの外れを防止する部位を、前記向き規制片の折り倒しによりなる開口の開口縁から形成したことを特徴とするボトル収納容器。
【請求項２】
容器は、透明樹脂シート製のブランクを組み起こしてなるものである請求項１に記載のボトル収納容器。
【請求項３】
容器へ所定方向に向けて挿入されたポンプボトルの正面に対応する前記容器の所定面部分に、ポンプボトルが外部から目視できる開口を備えている請求項１または２の何れか一項に記載のボトル収納容器。
【発明の詳細な説明】
【０００１】
【発明の属する技術分野】
本発明はシャンプーやリンスなどの液体を収容したポンプボトルを収納したボトル収納容器に関するものである。
【０００２】
【発明が解決しようとする課題】
従来、シャンプーやリンスなどの洗髪用品、ボディーソープなどの液体石鹸にあっては注出孔付きキャップをボトル本体の上部に装着したスクイズ性のある樹脂製ボトルに収容されていたが、近年では、内容量の増大化や少量ずつ注出する使用勝手などを考慮してポンプボトルに収容した商品形態にして多く提供されるようになってきている。
前記ポンプボトルは、略円筒状のボトル本体の上部に、吐出ノズルを有するポンプ部を装着したものであり、常時上方に向けて付勢されている昇降体の上昇でシャンプーやリンスなどの収容物の注出路内の圧力を低くしてその収容物を注出路内に吸い上げ、その昇降体の押し下げによって収容物をその昇降体から側方に向けて張り出ている前記吐出ノズルから注出するようにしたもので、昇降体の押し下げ動作ごとにほぼ定量ずつの注出が行なえるようにしている。そして、このポンプボトルでは前記昇降体を下ろして回転させることで昇降体が降下状態のまま位置決めされるようにしたロック機構が組み入れられていて、未使用状態である流通の時点や店舗陳列の時点では昇降体が降りたロックの状態で取り扱われるようにしている。勿論、シャンプーなどの商品を購入した後に使用者がその昇降体を下ろしてロックさせておけば、昇降体の不用意な押し下げを防止できて収容物の無駄な注出を避けることができる。
【０００３】
上述したようにこのポンプボトルでは所要の長さの吐出ノズルを有していることから、上記流通の時点や店舗陳列の時点では商品名などが描かれているボトル本体の正面を手前としたときに、昇降体が回転により締め込まれている状態で吐出ノズルが側方に向けて張り出るように位置させており、商品を正面視したときの外観を整えている。
ところで上記シャンプーやリンス、ボディーソープなどの商品にあっては通常、直接商品棚に並べて陳列販売されているが、この方法以外にも、関連商品や洗面用品と組み合わせて簡易な収納容器に入れて陳列販売することも行なわれており、例えば新商品キャンペーンなどにおいて係員による対面販売の際に簡易収納容器に他商品と組み合わせた商品形態とすることも行なわれている。
このような収納容器に商品を収納した場合、内部の商品が一般購買者に目に付き易くするためにその収納容器の正面に窓を開けたり或るいは収納容器自体を透明なシートから組み起こしたものとしている。このとき商品の正面が収納容器の正面を通して見えるようにするのが購買者側からのアイキャッチ性を高める上で重要である。
しかしながら、上記ポンプボトルはボトル本体が略円筒状の形状を呈していて、単に収納容器に収納しただけではこの収納容器を取り扱う際に収納容器の内部で回転し易く、このため、収納容器の正面に対してそのポンプボトルの正面がズレてしまい商品性を低下させることがある。また、収納容器にこのポンプボトルを収め入れる際にポンプボトルの正面と背面とを逆にして入れる作業ミスも生じる可能性がある。
【０００４】
上記に対する対策としては、収納容器に収め入れたポンプボトル、又はポンプボトルと関連商品との両者に接着テーブなどを貼り渡してポンプボトルの回転を規制したり、ポンプボトルを嵌め込む凹部を備えたトレーとともに収納容器に入れ、トレーへの嵌め込みによりポンプボトルの回転を規制することが考えられる。また、収納容器にポンプボトルを挿入してから、ポンプボトルの上部形状に対応して発泡スチロールなどから成形された詰め物を被せることでポンプボトルの回転を規制する工夫も提案されているが、ポンプボトルの回転を規制するためだけに別部材を用いなければならず、コストを引き上げるという不都合がある。
そこで、本発明は上記事情に鑑み、上記ポンプボトルが収納容器内で回転移動しないようにするとともに、そのポンプボトルを収納容器に入れる際の向きの間違いを生じないようにすることを課題とし、適正な向きにポンプボトルを向けて収納容器を利用した状態での商品性が損なわれないようにすることを目的とする。
【０００５】
【課題を解決するための手段】
本発明は上記課題を考慮してなされたもので、容器天面の出し入れ口における対向した一対のフラップと一枚又は対向した一対の蓋板とを備えて、折り倒したフラップに蓋板を折り重ねて出し入れ口を開閉可能に覆う容器に、吐出ノズルを有するポンプ部をボトル本体の上部に装着して前記吐出ノズルをボトル本体の側方側に向けたポンプボトルを収納したボトル収納容器であって、一対のフラップの内の少なくとも一方に、前記容器に所定方向に向けて挿入されたポンプボトルの吐出ノズルに係脱可能に係止して容器内でのポンプボトルの向きを規制する向き規制片を切り込み形成して下方に折り倒して設け、かつ、この向き規制片を設けたフラップに、前記向き規制片とは反対側にしてポンプボトルの上部構造部分に係止して上部構造部分の移動の抑えにより向き規制片からの吐出ノズルの外れを防止する部位を、前記向き規制片の折り倒しによりなる開口の開口縁から形成したことを特徴とするボトル収納容器を提供して、上記課題を解消するものである。
そして、本発明において、容器へ所定方向に向けて挿入されたポンプボトルの正面に対応する前記容器の所定面部分に、容器の所定部分を透明な材質にするか、または容器の所定部分を少なくとも切り抜くことによってポンプボトルが外部から目視できる開口を備えているものとすることが可能であり、さらに、容器は、透明樹脂シート製のブランクを組み起こしてなるものとすることが可能である。
【０００６】
本発明者らは本発明がなされるに際して図１と図２に示す以下のボトル収納容器を検討した。それを説明する。
図中１はボトル収納容器で、該ボトル収納容器１はブロック状の形態を呈した容器本体２に、容器天面側を跨ぐようにして吊り手３を取り付けたものであり、さらに容器本体２の内部にはポンプボトル４を収納されているとともに、関連製品を収めたスクイズ性のあるチューブ容器５を透明素材からなるトレイ６に嵌め入れて前記ポンプボトル４と並べて容器本体２に収め入れている。
【０００７】
このポンプボトル４およびチューブ容器５を収め入れている容器本体２は透明樹脂シートからなるブランクを組み起こしてなるものであり、ブランクを表している図２に示されているように容器本体２の胴部７は、背面板７ａ、側面板７ｂ、正面板７ｃ、側面板７ｄが連接してなり、背面板７ａの側辺に位置する糊代片７ｅを側面板７ｄに貼り付けることでスリーブが形成され、さらに容器本体２の底部閉鎖部８が、背面板７ａの下辺に連接した底面板８ａ、側面板７ｂの下辺に連接したフラップ８ｂ、正面板７ｃの下辺に連接した底面板８ｃ、側面板７ｄの下辺に連接したフラップ８ｄから形成されていて、偏平状態としたスリーブを角筒状に起こすことで底部閉鎖部８が自動的に組み起こされるようにした公知のオートロック機構を構成している。
【０００８】
また、上記容器本体２の容器天面では、胴部７の上端である出し入れ口９を上部閉鎖部１０にて開閉できるようにしている。前記上部閉鎖部１０は背面板７ａの上辺に連接された蓋板１０ａ、側面板７ｂの上辺に連接されたフラップ１０ｂ、正面板７ｃの上辺に連接された蓋板１０ｃ、側面板７ｄの上辺に連接されたフラップ１０ｄとから形成されていて、前記フラップ１０ｂ、１０ｄを折り倒ししてからその上に蓋板１０ａを折り重ね、さらに蓋板１０ａの上に蓋板１０ｃを折り重ねることで出し入れ口９が開閉可能に閉じられる。上部閉鎖部１０において最上位になる前記蓋板１０ｃには差し込み片１０ｅが連接され、この差し込み片１０ｅを蓋板１０ａの折り部分に位置した切り込みからなるスリット１０ｆに差し入れて係止させることで、閉じ状態が維持されるようにしている。
なお、側面板７ｂ、７ｄとフラップ１０ｂ、１０ｄの間の折り部分の中央に略コ型のスリット１１が入れられ、フラップ１０ｂ、１０ｄの折り倒しにより前記スリット１１の位置で形成される差し込み口から上記吊り手３の端部を挿入し、側面板７ｂ、７ｄの上辺側の中央に開口した留め孔１２に吊り手３の端部を掛け留めるようにしている。
上記ボトル収納容器１では一対の蓋板１０ａ、１０ｃを設けているが、容器天面の出し入れ口９を閉鎖する形状で蓋板１０ａ、１０ｃの何れか一方のみを設け、差し込み片１０ｅとスリット１０ｆを必ずしも設けない機構で、このボトル収納容器１を形成することも可能である。
【０００９】
上記容器本体２に収納されたポンプボトル４にあっては、そのポンプボトル４の正面が容器本体２の正面に向くようにして収納されている。さらに出し入れ口９において対向する一つのフラップ１０ｂ，１０ｄの内、ポンプボトル４側に位置するフラップ１０ｂには、前記ポンプボトル４の正面が容器本体２の正面に向いた状態が維持されるように規制する手段が設けられている。
上記手段はポンプボトル４の吐出ノズル１３を利用してポンプボトル４の向きを定める向き規制片１４であって、この向き規制片１４はフラップ１０ｂに略Ｕ字型にして切り込み形成したものであり、フラップ１０ｂの折元側をこのフラップ１０ｂに連続する折り部１５とし、その折り部１５から容器内方に向けて折り曲げられているものである。そして、前記向き規制片１４には吐出ノズル１３に係脱可能に係止するノズル係止孔１６が開口していて、向き規制片１４を折り曲げて前記ノズル係止孔１６を吐出ノズル１３に掛け留めてポンプボトル４の向きを規制している。
【００１０】
このように容器本体２の出し入れ口９において正面板７ｃの幅方向に対向している一対のフラップ１０ｂ、１０ｄの内、ポンプボトル４側に位置しているフラップ１０ｂに向き規制片１４を設けて、この向き規制片１４をフラップ１０ｂの折元に近い位置から曲げ降ろすようにして吐出ノズル１３に係止させているため、吐出ノズル１３自体は側面板７ｂ側に向くこととなり、よってポンプボトル４の正面が正面板７ｃに向くこととなり、ポンプボトル４の正面に記載されている商品名などが正面板７ｃを通して適正に位置した状態となってボトル収納容器１の外観を整えている。
なお、図示した例でのポンプボトル４では未使用のロック状態において上記吐出ノズル１３がポンプボトル４の真横に位置しているものではなく若干正面側に位置していて、この状態の吐出ノズル１３に向き規制片１４が係止してポンプボトル４の正面を正面板７ｃ側に適正に位置させるため、上記ノズル係止孔１６の位置が若干正面板７ｃ側となるように設定されている。このように吐出ノズル１３の角度に応じてフラップ１０ｂ中でのノズル係止孔１６の位置が定められる。
【００１１】
【発明の実施の形態】
つぎに本発明を図３から図７に示す実施の形態に基づいて説明する。なお、図１と図２に示す例と構成が重複する部分は同符号を付してその説明を省略する。
【００１２】
図３〜５に示す本発明の実施の例は、向き規制片１４がフラップ１０ｂの折元側に位置する折り部２８から側面板７ｂ側に折り倒されるように切り込み形成されたものであり、折り倒した向き規制片１４に、側面板７ｂ側に向いている吐出ノズル１３を係止させている。そして、前記折り部２８にあってはフラップ１０ｂに幅方向に亘って位置し、このフラップ１０ｂが折り部２８から斜め下方に向けて折り込まれていて、前記向き規制片１４を折り倒したことで形成される開口の開口縁２２を、ポンプボトル４の昇降体１７を含む上部構造部分やその上部構造部分の下のボトル本体の首部に対応させている。
また、このフラップ１０ｂの先端側に折り部２９が位置していて、この折り部２９の位置に上記開口縁２２の前縁部分が一致している。そして、この折り部２９からその先端部が折り戻された状態にして上記トレイ６に突き当てられているとともに、前記折り部２９に重なる開口縁２２の先端部分が図示のごとく向き規制片側とは反対側からボトル本体の首部３０に係脱可能に係止した状態とされ、フラップ１０ｂのトレイ６に対する突き当てと開口縁２２のボトル容器首部への係止とで、仮に、外部からポンプボトル４がトレイ６側に移動するようなショックが加わったとしてもクッション性を付与しているとともに、ポンプボトル４の少なくとも上部構造部分の移動を抑えて、向き規制片１４から吐出ノズル１３が外れないようにしているものである。
【００１３】
図６、７に示す例では、向き規制片１４がフラップ１０ｂの折元側に位置する折り部２０から折り倒されるように切り込み形成されたものであり、折り倒した向き規制片１４に、側面板７ｂ側に向いている吐出ノズル１３を係止させるとともに、前記向き規制片１４を折り倒したことで形成される開口の開口縁２２にポンプボトル４の昇降体１７を含む上部構造部分に図６に示すように向き規制片側とは反対側から係止させている。
さらに、図示されているようにフラップ１０ｂ、１０ｄそれぞれでは先端側の折り部１８から先端側を噛み合い片１９としている。そして、フラップ１０ｄではトレイ６の上面部分を過ぎたのちに前記折り部１８から噛み合い片１９が下方に折り曲げられているとともに、フラップ１０ｂにあっては、前記折り部２０の部分で斜め下方に折り曲げられ、さらに折り部１８の位置で噛み合い片１９が上方に折り返されてフラップ１０ｄ側の前記噛み合い片１９と噛み合うようにしている。なお、噛み合い片１９に切り込んだスリット２１の部分を相互に差し入れ合うことで噛み合い片１９同士を突き当てるようにしている。
【００１４】
なお、上記各実施の例にあっては容器本体にポンプボトルとチューブ容器とをセットにして収納した例を示したが、本発明はこのセット形態に限定されるものではなく、ポンプボトルのみが収納されているものであってもよい。
そして、ポンプボトルを一本収納する他に、二本のポンプボトルを収納する場合は、一対のフラップのそれぞれに向き規制片を設けるか、一枚のフラップに２個の向き規制片を設けることも可能である。即ち、収納するポンプボトルの本数に応じた個数の向き規制片を設けることが好ましい。また、実施の例では容器本体を透明シートのブランクから形成されたものとしたが、この容器本体を紙製ブランクから形成し、所定方向（容器正面板側）に正面を向けて挿入されたポンプボトルの正面が、正面板に切り抜きによって形成されて開口した窓に対応位置し、その窓を通してポンプボトルの商品名などが外部から簡単に目視できるようにしてもよい。
上記開口には透明フィルムを貼り付け、容器本体への塵埃の進入を防ぐように開口を設けることが好ましい。
【００１５】
【発明の効果】
以上説明したように本発明によれば、収納容器側のフラップにポンプボトルの吐出ノズルを係止させてそのポンプボトルの正面が収納容器の正面側に向くように規制しているため、ポンプボトルの向き規制のための別部材を用意する必要がなく、ボトル収納容器の素材コストを低減させることができる。また、ポンプボトルの正面をこのポンプボトルを収納する容器の所定面側、例えば正面側に向けさせておくことができ、ボトル収納容器の外観を損なうことなくアイキャッチ性を高く維持できる。そして、ポンプボトルのボトル本体に印刷されている単品としての商品管理用情報（例えばバーコード）を、収納容器の背面板側などの所定面に位置させた化粧台紙やその背面板側自体に直接印刷した化粧面で隠して、その化粧台紙や背面板側の化粧面に印刷したセット品としての商品管理用情報を読み取らせることができるようになる。
さらにポンプボトルを容器本体に収納する際にそのポンプボトルの向きを逆にして入れたとしても、向き規制片に吐出ノズルを係止させることができず、よって、ポンプボトルの向きの間違いが簡単に確認できるようになり、収納の際の挿入ミスを確実に防止でき、向きの確認作業を含めた収納作業を簡単なものとすることができるなど、実用性に優れた効果を奏するものである。
【図面の簡単な説明】
【図１】  ボトル収納容器の一例を示す説明図である。
【図２】  図１の一例における容器本体を展開した状態で示す説明図である。
【図３】  本発明の一例の取り出し口側を一部切り欠いて示す説明図である。
【図４】  図３の例の容器本体における取り出し口部分を展開した状態で示す説明図である。
【図５】  図３の例を正面板を除いた状態で示す説明図である。
【図６】  本発明の他の例の取り出し口側を一部切り欠いて示す説明図である。
【図７】  図６の例の容器本体における取り出し口部分を展開した状態で示す説明図である。
【符号の説明】
１…ボトル収納容器
２…容器本体
３…吊り手
４…ポンプボトル
５…チューブ容器
６…トレイ
７…容器本体の胴部
７ａ…背面板
７ｂ…側面板
７ｃ…正面板
７ｄ…側面板
８…底部閉鎖部
９…出し入れ口
１０…上部閉鎖部
１０ａ…蓋板
１０ｂ…フラップ
１０ｃ…蓋板
１０ｄ…フラップ
１３…吐出ノズル
１４…向き規制片
１５…ノズル係止孔
１６…昇降体
【図１】
0003834693.tif 000002
【図２】
0003834693.tif 000003
【図３】
0003834693.tif 000004
【図４】
0003834693.tif 000005
【図５】
0003834693.tif 000006
【図６】
0003834693.tif 000007
【図７】
0003834693.tif 000008